(57)【要約】【課題】園芸用具等を洗う際に、かがむ必要がなく、楽に作業することができる水栓柱を提供する。【解決手段】水栓柱１は、給水立上り管２を内蔵しかつ地面に立てられる中空柱状ケーシング３と、給水立上り管２の上端に接続される水栓４とを備えている。ケーシング３の上部に、水栓４から吐出された水を受ける上部水受け容器５が取り付けられる。【選択図】　図１
2004068314.tif 000002
【特許請求の範囲】
【請求項１】
給水立上り管（２）（２Ａ）を内蔵しかつ地面に立てられる中空柱状ケーシング（３）（３Ａ）と、給水立上り管（２）（２Ａ）の上端に接続される水栓（４）とを備えた水栓柱において、
ケーシング（３）（３Ａ）の上部に、水栓（４）から吐出された水を受ける上部水受け容器（５）（５Ａ）が取り付けられることを特徴とする、水栓柱。
【請求項２】
上部水受け容器（５）（５Ａ）の排水口（５１）に、排水パイプ（６）が垂下状に接続されることを特徴とする、請求項１記載の水栓柱。
【請求項３】
ケーシング（３）（３Ａ）の下部に、上部水受け容器（５）（５Ａ）の排水口（５１）から排出された水を受ける下部水受け容器（７）（７Ａ）が、地面に置かれた状態で取り付けられることを特徴とする、請求項１または２記載の水栓柱。
【発明の詳細な説明】
【０００１】
【発明の属する技術分野】
本発明は、庭や公園等に設置される水栓柱に関する。
【０００２】
【従来の技術】
従来の水栓柱として、給水立上り管を内蔵しかつ地面に立てられる中空柱状ケーシングと、給水立上り管の上端に接続される水栓とを備え、ケーシングの下部に、水栓から吐出された水を受ける水受け容器が、地面に置かれた状態で取り付けられるものが知られている。
【０００３】
【発明が解決しようとする課題】
しかしながら、上記の水栓柱にあっては、ケーシングの下部に水受け容器が取り付けられるため、例えば園芸用具等を洗う際にかがむ必要があり、作業し難いという問題があった。
【０００４】
本発明の目的は、園芸用具等を洗う際に、かがむ必要がなく、楽に作業することができる水栓柱を提供することにある。
【０００５】
【課題を解決するための手段および発明の効果】
本発明による水栓柱は、給水立上り管を内蔵しかつ地面に立てられる中空柱状ケーシングと、給水管の上端に接続される水栓とを備えたものにおいて、ケーシングの上部に、水栓から吐出された水を受ける上部水受け容器が取り付けられることを特徴とする。
【０００６】
上記の水栓柱によれば、ケーシングの上部に取り付けられた上部水受け容器において、園芸用具等を立ったままで洗うことができるので、従来技術のように洗う際にかがむ必要がなく、作業が楽である。
【０００７】
本発明による水栓柱において、上部水受け容器の排水口に、排水パイプが垂下状に接続されるのが好ましい。
【０００８】
上記の排水パイプにより、上部水受け容器の排水口から出た排水が飛散するのが防止される。また、排水パイプから流下した水をバケツ等に溜めたり、前記水を再利用して洗い物をすることが可能となり、便利である。
【０００９】
また、本発明による水栓柱において、ケーシングの下部に、上部水受け容器の排水口から排出された水を受ける下部水受け容器が、地面に置かれた状態で取り付けられるのが好ましい。
【００１０】
上記のような下部水受け容器がさらに水栓柱に備えられていれば、該容器において、上部水受け容器の排水口から排出された水を再利用して、洗い物をすることができ、便利である。
【００１１】
ケーシングは、その下部が地中に埋設されることにより地面に固定状に立てられる場合と、その下端に地面に載置される基台を設けることにより地面に移動可能に立てられる場合とがある。前者の場合、給水立上り管の下端は、地中埋設給水配管の先端に接続される。後者の場合、給水立上り管の下端は、給水ホース等の地上配設給水配管の先端に接続される。なお、後者の場合には、下部水受け容器に基台を兼用させることができる。
【００１２】
水栓は、ケーシングの所要箇所にあけられた孔を通じて、給水立上り管の上端に接続される。水栓は、通常、ケーシングの上端面または側面上部に固定されるが、上部水受け容器の上端部に固定されてもよい。
【００１３】
上部水受け容器は、ケーシングの上部に取り付け可能であって、水栓から吐出された水を受けることができるものであれば、その材料や形状は特に限定されないが、通常は、ＦＲＰ等の軽量材料によって皿状、桶状、槽状等に形成される。上部水受け容器のケーシング上部への取付手段も、特に限定されないが、例えば、上部水受け容器に、ケーシング上部に嵌め被せられる嵌合孔または下方開口状嵌合凹部を形成して、両者を嵌合する手段を挙げることができる。この場合、ケーシング上部の所要高さ位置に上部水受け容器を受ける外向きフランジ部を形成しておくのが好ましい。また、上記嵌合手段に加えてまたはこれに代えて、ボルト接合、接着、溶接等の接合手段により、上部水受け容器をケーシングの上部に取り付けるようにしても勿論よい。上部水受け容器は、その中心がケーシングの中心軸に対してずれるようにケーシング上部に取り付けられる他、その中心がケーシングの中心軸とほぼ合致するようにケーシング上部に取り付けられる場合もある。上部水受け容器には、その排水口を塞ぐ排水栓が備えられているのが好ましい。
【００１４】
排水パイプは、通常、塩化ビニル樹脂パイプ等の樹脂パイプにより形成されるが、金属パイプにより形成されていてもよい。また、排水パイプは、蛇腹管等のフレキシブルパイプにより形成されていてもよい。排水パイプの長さは、上部水受け容器の排水口から地面または下部水受け容器の底面までの距離に応じて適宜に決定される。但し、あまり長すぎると、排水パイプから流下した水をバケツ等に溜めたり、該水を利用して洗い物をするのが困難になる。なお、排水パイプの排水口への接続手段は、特に限定されず、公知の配管接続手段の中から適宜のものを採用すればよい。
【００１５】
下部水受け容器は、地面に置かれた状態でケーシング下部に取り付け可能であって、上部水受け容器の排水口から排出された水を受けることができるものであれば、その材料や形状は特に限定されない。この下部水受け容器は、冒頭で述べた従来の水栓柱の水受け容器と同様に構成することが可能である。したがって、下部水受け容器のケーシング下部への取付手段も、特に限定されないが、例えば、下部水受け容器に、ケーシング下部に嵌め被せられる嵌合孔または上方開口状嵌合凹部を形成して、両者を嵌合する手段を挙げることができる。この場合、ケーシング下部の所要高さ位置に下部水受け容器を上から押さえる外向きフランジ部を形成しておくのが好ましい。また、上記嵌合手段に加えてまたはこれに代えて、ボルト接合、接着、溶接等の接合手段により、下部水受け容器をケーシングの上部に取り付けるようにしても勿論よい。下部水受け容器は、その中心がケーシングの中心軸に対してずれるようにケーシング下部に取り付けられる他、その中心がケーシングの中心軸とほぼ合致するようにケーシング下部に取り付けられる場合もある。下部水受け容器にも、その排水口を塞ぐ排水栓が備えられているのが好ましい。なお、下部水受け容器の排水口から排出される水は、そのまま地面に流下させてもよいし、排水口に接続した地中埋設排水管に流すようにしてもよい。
【００１６】
【発明の実施の形態】
次に、図１〜５を参照して、本発明の好ましい実施の形態を説明する。なお、以下の説明において、「前」とは図１および４の左をいい、また、「後」とは同右をいうものとする。
【００１７】
図１〜３は、本発明の第１の実施形態を示すものである。これらの図に示す水栓柱（１）は、給水立上り管（２）を内蔵しかつ地面に立てられる中空柱状ケーシング（３）と、給水立上り管（２）の上端に接続される水栓（４）とを備えている。ケーシング（３）の上部には、水栓（４）から吐出された水を受ける上部水受け容器（５）が取り付けられる。上部水受け容器（５）の排水口（５１）には、排水パイプ（６）が垂下状に接続される。また、ケーシング（３）の下部には、上部水受け容器（５）の排水口（５１）から排出された水を受ける下部水受け容器（７）が、地面に置かれた状態で取り付けられる。
【００１８】
ケーシング（３）は、ポリレジン製の中空四角柱状のものである。このケーシング（３）は、下部が所要深さだけ地中に埋設されることにより、地面に固定状に立てられている。
【００１９】
給水立上り管（２）の下端は、ケーシング（３）の前側壁の下部にあけられた孔を通じて、地中埋設給水管（８）の先端に接続されている。
【００２０】
水栓（４）は、図１および３に示すような自在水栓によって構成されている。この水栓（４）は、ケーシング（３）の頂壁にあけられた孔を通じて、給水立上り管（２）の上端に接続されている。より詳細にいうと、給水立上り管（２）の上端に雌ネジ部（２１）が設けられ、この雌ネジ部（２１）に、ケーシング（３）頂壁の孔を通じて、水栓（４）下端の雄ネジ部（４１）がねじ込まれ、それによって、水栓（４）が、給水立上り管（２）の上端に接続されるとともに、ケーシング（３）の上端面に固定される。
【００２１】
上部水受け容器（５）は、ＦＲＰ製の桶状のものである。この上部水受け容器（５）は、該容器に形成された断面方形の嵌合孔（５２）を、ケーシング（３）に上方から嵌め被せて、前記嵌合孔（５２）の下縁部をケーシング（３）上部に形成された外向きフランジ（３１）に当接させることにより、ケーシング（３）上部に取り付けられている。嵌合孔（５２）は、上部水受け容器（５）内の後部に形成された断面方形の突出部（５３）に、垂直貫通状にあけられている。上部水受け容器（５）の排水口（５１）は、該容器の底壁（５４）の中心付近に形成されている。上部水受け容器（５）には、排水口（５１）を塞ぐ排水栓（５５）が備えられている。
【００２２】
排水パイプ（６）は、塩化ビニル樹脂パイプ製であって、図２に示すように、その上端に環状の外向きフランジ（６１）を有している。フランジ（６１）は、上部水受け容器（５）の底壁（５４）における排水口（５１）周縁部分に形成された段部（５６）に、パッキン（６２）を介して受けられている。排水パイプ（６）の上端寄りには、雄ネジ部（６３）が形成されており、この雌ネジ部（６３）にナット（６４）を締め込むことにより、排水パイプ（６）が上部水受け容器（５）の底壁（５４）に固定されている。排水パイプ（６）は、その先端と下部水受け容器（７）の底面との間の距離が、２５ｃｍ程度となるような長さを有している。
【００２３】
下部水受け容器（７）は、ＦＲＰ製の皿状のものであって、上部水受け容器（５）と比べてかなり径の大きいものとなされている。この下部水受け容器（７）は、該容器に形成された断面方形の嵌合孔（７１）を、ケーシング（３）に下方から嵌め被せて、前記嵌合孔（７１）の上縁部をケーシング（３）下部に形成された外向きフランジ（３２）に当接させることにより、ケーシング（３）下部に取り付けられている。嵌合孔（７１）は、下部水受け容器（７）における周壁（７２）の後部内側に形成された断面方形の突出部（７３）に、垂直貫通状に形成されている。下部水受け容器（７）の底壁（７４）の中心付近には、排水口（７５）があけられている。下部水受け容器（７）には、排水口（７５）を塞ぐ排水栓（７６）が備えられている。排水口（７５）には、地中埋設排水管（９）の基端が接続されている。
【００２４】
上記の水栓柱（１）にあっては、水栓（４）のハンドル（４２）を操作して吐水口（４３）から吐水すれば、上部水受け容器（５）において、園芸用具等を、立ったままの姿勢で楽に洗うことができる。上部水受け容器（５）に受けられた水は、その排水口（５１）に接続された排水パイプ（６）を通じて排出させられるので、方々に飛散せず、衣服等が濡れるおそれがない。また、下部水受け容器（７）における排水パイプ（６）の下方部分にバケツ等を置いておけば、排水パイプ（６）から流下した水を溜めて再利用することも可能である。或いは、下部水受け容器（７）において、排水パイプ（６）から流下した水を再利用して、洗い物をすることも可能である。
【００２５】
図４および５は、本発明の第２の実施形態を示すものである。これらの図に示す水栓柱（１Ａ）も、給水立上り管（２Ａ）を内蔵しかつ地面に立てられる中空柱状ケーシング（３Ａ）と、給水立上り管（２Ａ）の上端に接続される水栓（４）とを備えている。ケーシング（３Ａ）の上部には、水栓（４）から吐出された水を受ける上部水受け容器（５Ａ）が取り付けられる。上部水受け容器（５Ａ）の排水口（５１）には、排水パイプ（６）が垂下状に接続される。また、ケーシング（３Ａ）の下部には、上部水受け容器（５Ａ）の排水口（５１）から排出された水を受ける下部水受け容器（７Ａ）が、地面に置かれた状態で取り付けられる。
【００２６】
ケーシング（３Ａ）は、ポリレジン製の中空円柱状のものである。上記ケーシング（３Ａ）は、その下端に、地面に載置される基台（３０）を設けることにより、地面に移動可能に立てられている。この実施形態では、下部水受け容器（７Ａ）が基台（３０）を兼ねている。
【００２７】
給水立上り管（２Ａ）の下端は、ケーシング（３Ａ）周壁の後側下部にあけられた孔を通じて、給水ホースよりなる地上配設給水管（８Ａ）の先端に接続されている。
【００２８】
水栓（４）は、第１の実施形態と同様の自在水栓によって構成されている。
【００２９】
上部水受け容器（５Ａ）は、ＦＲＰ製の桶状のものである。この上部水受け容器（５Ａ）は、該容器に形成された断面円形の下方開口状嵌合凹部（５２Ａ）を、ケーシング（３Ａ）に上方から嵌め被せて、前記嵌合凹部（５２Ａ）の底をケーシング（３Ａ）上端面に当接させることにより、ケーシング（３Ａ）上部に取り付けられている。嵌合凹部（５２Ａ）は、上部水受け容器（５Ａ）の底壁（５４）中心部に形成された円筒状垂下部（５３Ａ）の内部によって構成されている。排水口（５１）は、上部水受け容器（５Ａ）の底壁（５４）の前部に形成されている。上部水受け容器（５Ａ）には、排水口（５１）を塞ぐ排水栓（５５）が備えられている。
【００３０】
上部水受け容器（５Ａ）の後部には、断面Ｄ形の外方突出部（５７）が一体に設けられている。外方突出部（５７）には、垂直貫通孔（５７１）があけられている。水栓（４）は、その下端の雄ネジ部（４１）を外方突出部（５７）の垂直貫通孔（５７１）に上方から差し込むとともに、該雄ネジ部（４１）に下方から固定ナット（５８）をねじ嵌めることにより、上部水受け容器（５Ａ）の外方突出部（５７）の上端に固定されている。Ｌ形接続管（１１）の水平管部（１１１）の基端が、ケーシング（３Ａ）周壁の後側上部にあけられた孔を通じて、給水立上り管（２Ａ）の上端に接続されている。Ｌ形接続管（１１）の垂直管部（１１２）は、上部水受け容器（５Ａ）の外方突出部（５７）の貫通孔（５７１）に下方から挿入されている。Ｌ形接続管（１１）の垂直管部（１１２）の先端には、ナット（１１３）が回転自在に取り付けられている。そして、該ナット（１１３）を水栓（４）の雄ネジ部（４１）下端にねじ嵌めることにより、Ｌ形接続管（１１）の垂直部（１１２）先端が水栓（４）に接続されている。以上の構成により、水栓（４）が、Ｌ形接続管（１１）を介して、給水立上り管（２Ａ）の上端に接続されている。
【００３１】
排水パイプ（６）は、第１の実施形態のそれとほぼ同じ構造を有しており、第１の実施形態の場合と同様にして、上部水受け容器（５Ａ）の排水口（５１）に接続されている。
【００３２】
下部水受け容器（７Ａ）は、ＦＲＰ製の皿状のものであって、上部水受け容器（５Ａ）と比べてかなり径が大きくなされている。この下部水受け容器（７Ａ）は、該容器に形成された断面円形の上方開口状嵌合凹部（７１Ａ）を、ケーシング（３Ａ）に下方から嵌め被せて、前記嵌合凹部（７１Ａ）の底をケーシング（３Ａ）下部に形成された外向きフランジ（３２）に当接させることにより、ケーシング（３Ａ）下部に取り付けられている。嵌合凹部（７１Ａ）は、下部水受け容器（７Ａ）の底壁（７４）における中心よりやや後寄りの部分に形成された円筒状立上り部（７３Ａ）の内部によって構成されている。下部水受け容器（７Ａ）の立上り部（７３Ａ）と周壁（７２）後部との間には、これらを連結するように、垂直壁（７７）が形成されている。下部水受け容器（７Ａ）の底壁（７４）における中心よりやや前寄り部分には、排水口（７５）があけられている。下部水受け容器（７Ａ）には、排水口（７５）を塞ぐ排水栓（７６）が備えられている。なお、この水栓柱（１Ａ）は、可動式のものであるので、下部水受け容器（７Ａ）の排水口（７５）から出た水は、そのまま地中に流されるようになっている。
【００３３】
上述した第２の実施形態の水栓柱（１Ａ）によっても、第１の実施形態の水栓柱（１）とほぼ同様の作用効果が奏される。
【００３４】
なお、上記の各実施形態はあくまでも例示にすぎず、特許請求の範囲に記載された本発明の要旨を逸脱しない範囲内で適宜に変更を加えた上で本発明を実施することも勿論可能である。
【図面の簡単な説明】
【図１】本発明の第１の実施形態を示すものであって、水栓柱の垂直断面図である。
【図２】図１の水栓柱における上部水受け容器の排水口と排水パイプとの接続部分を拡大して示す垂直断面図である。
【図３】図１の水栓柱の分解斜視図である。
【図４】本発明の第２の実施形態を示すものであって、水栓柱の垂直断面図である。
【図５】図４の水栓柱の分解斜視図である。
【符号の説明】
（１）（１Ａ）：水栓柱
（２）（２Ａ）：給水立上り管
（３）（３Ａ）：ケーシング
（４）：水栓
（５）（５Ａ）：上部水受け容器
（５１）：排水口
（６）：排水パイプ
（７）（７Ａ）：下部水受け容器
【図１】
2004068314.tif 000003
【図２】
2004068314.tif 000004
【図３】
2004068314.tif 000005
【図４】
2004068314.tif 000006
【図５】
2004068314.tif 000007